(57)【要約】      （修正有）【課題】遠心力を利用して、自らの機械の作用が自らの機械全体を駆動して位置を移動する方法を提供する。【解決手段】４つの液体の入ったタンク１，２，３，４に回転シャフト５，６，７，８を接続して、その液体の入ったタンク１，２，３，４の数量と角度を組み合わせながら回転させることによって遠心力を発生させ、それを駆動力とする。【選択図】 図１
2005140099.tif 000002
【特許請求の範囲】
【請求項１】
〔選択図〕〔図４〕の正面図の、各部品に番号と符号を、つけて配置して
配置してあり、そこから、ある間隔を置いて４つの、つなぎギャー（２１）（２２）（２３）（２４）が有り、各つなぎギャーから各回転シャフト（５）（６）（７）（８）が、ついて有り、先端に各液体タンク（１）（２）（３）（４）が、ついている。その４つの液体タンクを（２５）エンヂンによって回転させますと、動力が発生する。この動力の発生する作用は以下の通りであるが、時計回りを基準として方角を示してある。
（２）Ｂ液体タンクは左回りである、（１）Ａ液体タンクは右回りである、（４）Ｄ液体タンクは左回りである、（３）Ｃ液体タンクは右回りである、これら４つの液体タンクが、同時に回転しますと（２）Ｂ液体タンクと（１）Ａ液体タンクよりも早い時刻と角度の時に、（４）Ｄ液体タンクと、（３）Ｃ液体タンクの液体が放出されます。そうしますと、放出しない側の液体タンクに遠心力が発生します、そして（２）Ｂ液体タンクと（１）Ａ液体タンクが
駆動力となって、現れます。この状態を、くり返すことによって継続した前進移動が可能になります。この方法の遠心力による駆動力を特許請求いたします。
【請求項２】
〔請求項２〕は〔請求項１〕の継続した前進移動を可能にする為の方法を以下の様に示した。（１６）Ｄ外側受けカップへ（４）Ｄ液体タンクから音速程度の速さで液体が放出されますと（１６）Ｄ外側受けカップの機器は現在のところ、（２０）スプリングが使用されていますが、この作用は化学薬品の爆発によっても目的は同様に可能でありますので、つけ加えさせて、いたゞきます。この様な作用で（４）Ｄ液体タンクから液体が放出されると同時に（１５）Ｄ内側受けホールへ液体は再放出されて行きます。この様態で（４）Ｄ液体タンクへ（８）回転シャフト内を通って液体は戻っていきます。これをくり返すことによって〔請求項１〕の作用が維持されています。この構造は（１３）Ｃ外側受けカップと（１４）Ｃ内側受けホールも（１０）Ａ外側受けカップと（９）Ａ内側受ホールも（１１）Ｂ外側受けカップと（１２）Ｂ内側受けホールも同じ動作をすることになります。以上の、この方法も合せて特許請求致します。
【発明の詳細な説明】
【発明の詳細な説明】
〔発明の属する技術分野〕
【００１】この発明は、遠心力を応用して位置を変えて移動する方法である。例えば、自動車が該当する自動車の車輪のタイヤで地面を駆動して移動する方法ではなく。自らの機械の作用が自らの機械全体を駆動して位置を移動する一種である。
〔従来の技術分野〕
【００２】一般市場で見られる駆動の様式に、その機械の移動は、その機械に相対立する他の物体を駆動して移動するものが多い。例えば自動車や、スクリュウー船が、その例であるが、それらとは駆動の方法でエンヂン機械を異にするものである。
〔発明が解決しようとする課題〕
【００３】ある場所において、その場所の位置を移動する機械においては、該当する機械に相対立する他の物体を駆動しなければ位置を移動することは、出来ない点にあります。例えば屋外や、屋内の階段の上り下りや、高層建築の外壁や、外枠等の技術上の登り降りが容易に出来ない点にあります。以上の様な条件の、ところを次に上げる次段によって解決することが出来る。
〔課題を解決するための手段〕
【００４】該当する機械に相対立した物体を駆動しないで位置を移動できる機関に爆発を利用したジエット式飛行機があるが、このヂエットエンヂンを利用しても一般の巷で使用することは不可能である。この技術に、とって変ったものが、この遠心力を応用した技術が、あてはまるものであり、駆動力の作用において、ジエット式駆動力と同じ作用を騒音や危害を感じさせることなく、作り出すことが出来るからである。
〔発明の実施の形態〕
【００５】４つの液体の入ったタンク（１）Ａ（２）Ｂ（３）Ｃ（４）Ｄに回転シャフト（５）（６）（７）（８）を接続して、その液体の入ったタンク（１）Ａ（２）Ｂ（３）Ｃ（４）Ｄの数量と角度を組合せながら回転させることによって遠心力を発生させ、それを駆動力として利用するものである。
〔実施例〕
【００６】４つの液体の入ったタンク（１）Ａ（２）Ｂ（３）Ｃ（４）Ｄの回転する方向は、以下の様になります。〔書類名〕〔図１〕の図を時計回りを基準にして、角度と回転の速度を同じくして（２）Ｂ液体タンクは左回りです。（１）Ａ液体タンクは右回りです。（４）Ｄ液体タンクは左回りです。（３）Ｃ液体タンクは右回りです。この様に回ることによって、タンクの液体を放出しないかぎり機体全体の遠心力は、つり合いが、とれていて発生いたしません。（４）Ｄ液体タンクと（３）Ｃ液体タンクの液体を放出した時に始めて（２）Ｂ液体タンクと（１）Ａ液体タンクに遠心力が発生いたします。この遠心力が駆動力となって現れます。
【００７】この時に同時に連結して流れる液体の流れは４つの液体受けカップ（１０）（１１）（１６）（１３）と４つの液体受けホール（９）（１２）（１５）（１４）の構造から次の通りである。すなわち（１０）Ａ外側受けカップと（９）Ａ内側受けホールは、道管で、つながっています。これは液体が回転してゆく為である。これらの理由で（１１）Ｂ外側受けカップと（１２）Ｂ内側受けホールも同様である。同じく（１６）Ｄ外側受けカップと（１５）Ｄ内側受けホールも同様であり、（１３）Ｃ外側受けカップと（１４）Ｃ内側受けホールも同様である。これらの態様で各々の液体受けホールから各液体タンクへ各回転シャフト内を液体が流れて回転してゆきます。この時の機械の動作のところで各液体受けホールから各液体タンクへ液体を流し込む液体の量の位置が４つの液体タンクの遠心力を同じ力量に保ってゆく為に制御器がありますが、図面には書いて、ありませんので制御をするための様態を〔書類名〕〔図１〕と〔書類名〕〔図２〕と〔書類名〕〔図３〕をもって説明しますと、次の様になります。
【００８】〔書類名〕〔図１〕は各液体タンク（２）Ｂ（１）Ａ（４）Ｄ（３）Ｃが動き始める最初の角度の瞬間図であり、時計回りを基準として回転する方角が書き示されてあります。〔書類名〕〔図２〕では、遠心力が最大の角度の瞬間図であり（２）Ｂ液体タンクと（１）Ａ液体タンクは、まだ液体を放出していない位置であり（４）Ｄ液体タンクと（３）Ｃ液体タンクは、すでに（１６）Ｄ外側受けカップと（１３）Ｃ外側受けカップに液体を放出して、しまっている位置であります。〔書類名〕〔図３〕では、４個の液体タンクから液体を放出して４個すべての液体タンク（２）Ｂ（１）Ａ（４）Ｄ（３）Ｃの遠心力が、ゼロになった瞬間図であります。その後、同時刻に４個の内側受けホール（９）Ａ（１２）Ｂ（１５）Ｄ（１４）Ｃへ液体が貯められて、又、同時刻に回転シャフト（６）（５）（８）（７）を通って各液体タンクへ流れこむ様に自動制御器が働き、液体量の平均量を制御しながら４つの液体タンクの遠心力の平均量を保ちながら、サイクルを維持してゆくことが出来ます。
〔発明の効果〕
【００９】この動力である駆動力である効果は、以下の方定式の中から判断することが出来る。〔例１〕と、いたしましては遠心力を表わす公式
字を、当てはめますと
＝１６０００ｋｇとなり
遠心力は１６トンの力量が現れます。〔例２〕と、いたしまして現在の自動車の走行からの類似のところの違いに、ついての効果の部分を見てみますと、次の様になります。自動車が時速６０ｋｍで走行しますと、毎秒約１７メートルですから１分間走行すると、１７ｍ×６０秒＝１０２０メートルの走行距離となります。これに対しまして、上記の遠心力１６トンを機体の総重量を１５００ｋｇとして割り出して計算しますと、約１０メートル余の加速度が出現します、から
と、移動距離の
１分間の走行距離は５４０３メートルになります、地面を駆動するよりも遠心力の応用の方が走行距離がのびると云う効果があります。
【図面の簡単な説明】
【図１】平面図Ｎｏ１  液体タンクが回転を始める最初の位置と角度の瞬間図である。
【図２】平面図Ｎｏ２  液体タンクの遠心力が最大の角度になった時の瞬間図である。
【図３】平面図Ｎｏ３  四個の液体タンクから液体を放出して遠心力がゼロになった時の瞬間図である。
【符号の説明】
（１）Ａ液体タンク            （１７）スプリング
（２）Ｂ液体タンク            （１８）スプリング
（３）Ｃ液体タンク            （１９）スプリング
（４）Ｄ液体タンク            （２０）スプリング
（５）回転シャフト            （２１）つなぎギャー
（６）回転シャフト            （２２）つなぎギャー
（７）回転シャフト            （２３）つなぎギャー
（８）回転シャフト            （２４）つなぎギャー
（９）Ａ内側受けホール        （２５）エンヂン
（１１）Ｂ外側受けカップ
（１２）Ｂ内側受けホール
（１３）Ｃ外側受けカップ
（１４）Ｃ内側受けホール
（１５）Ｄ内側受けホール
（１６）Ｄ外側受けカップ
【図１】
2005140099.tif 000003
【図２】
2005140099.tif 000004
【図３】
2005140099.tif 000005
【図４】
2005140099.tif 000006
【手続補正書】
【提出日】平成16年4月3日(2004.4.3)
【手続補正２】
【補正対象書類名】特許請求の範囲
【補正対象項目名】全文
【補正方法】変更
【補正の内容】
【特許請求の範囲】
【請求項１】
〔図４〕の正面図の、各部品に番号と符号をつけて配置してある。先ず中央に（２５）エンジンから（い）動力伝達シャフトが《上》に向かって配置してあり、そこからある間隔を置いて４つのつなぎギヤー（２１）（２２）（２３）（２４）が有り各つなぎギヤーから各回転シャフト（５）（６）（７）（８）がついてあり先端に各液体タンク（１）（２）（３）（４）がついている。その４つの液体タンクを（２５）エンジンによって回転させると動力が発生する。この動力の発生する作用は以下の通りであるが、時計回りを基準として方角を示してある。
（２）Ｂ液体タンクは左回りである。（１）Ａ液体タンクは右回りである。
（４）Ｄ液体タンクは左回りである。（３）Ｃ液体タンクは右回りである。
これらの４つの液体タンクが、同時に回転すると（２）Ｂ液体タンクと（１）Ａ液体タンクよりも早い時刻と角度の時に（４）Ｄ液体タンクと（３）Ｃ液体タンクの液体が放出されます。そうすると、放出しない側の液体タンクに遠心力が発生します。そして、（２）Ｂ液体タンクと（１）Ａ液体タンクが〔図４〕の《上》の方角を指した角度の時と（４）Ｄ液体タンクと（３）Ｃ液体タンクが同じく〔図４〕の《下》を指した角度の時に駆動力となって現れます。この状態を繰り返すことによって継続した前進移動が可能になります。この方法の遠心力による駆動力を特許請求します。
【請求項２】
〔請求項２〕は〔請求項１〕の継続した前進移動を可能にする為の方法を以下の様に示した。（１６）Ｄ外側受けカップへ（４）Ｄ液体タンクから音速程度の速さで液体が放出されると（１６）Ｄ外側受けカップの機器は現在のところ（２０）スプリングが使用されていますが、この作用は化学薬品の爆発によっても目的は同様に可能でありますので付け加えさせていただきます。このような作用で（４）Ｄ液体タンクから液体が放出されると同時に（１５）Ｄ内側受けホールへ液体は再放出されていきます。この様態で（４）Ｄ液体タンクへ（８）回転シャフト内を通って液体は戻っていきます。これを繰り返すことによって〔請求項１〕の作用が維持されています。この構造は（１３）Ｃ外側受けカップと（１４）Ｃ内側受けホールも（１０）Ａ外側受けカップと（９）Ａ内側受けホールも（１１）Ｂ外側受けカップと（１２）Ｂ内側受けホールも同じ動作をすることになります。以上のこの方法も合わせて特許請求いたします。
【手続補正３】
【補正対象書類名】明細書
【補正対象項目名】全文
【補正方法】変更
【補正の内容】
【発明の詳細な説明】
【技術分野】
【０００１】  この発明は遠心力を応用して位置を変えて移動する方法である。例えば、自動車が該当する自動車の車輪のタイヤで地面を駆動して移動する方法ではなく、自らの機械の作用が自らの機械全体を駆動して位置を移動する一種である。
【背景技術】
【０００２】  一般市場で見られる駆動の様式に、その機械の移動はその機械に相対立する他の物体を駆動して移動するものが多い。例えば自動車やスクリュー船がその例であるが、それらとは駆動の方法でエンジン機械を異にするものである。
【発明の開示】
【発明が解決しようとする課題】
【０００３】  ある場所において、その場所の位置を移動する機械においては、該当する機械に相対立する他の物体を駆動しなければ、位置を移動することはできない点にあります。例えば、屋外や屋内の階段の上り下りや、高層建築の外壁や外枠等の技術上の昇り降りが容易にできない点にあります。以上の様な条件のところを次に挙げる手段によって解決することができる。
【課題を解決するための手段】
【０００４】  該当する機械に相対立した物体を駆動しないで位置を移動できる機関に爆発を利用したジェット式飛行機があるが、このジェットエンジンを利用しても一般の巷では使用することは不可能である。この技術に取って代わったものがこの遠心力を応用した技術が当てはまるものであり、駆動力の作用においてジェット式駆動力と同じ作用を騒音や危害を感じさせることなく作り出すことができるからである。
【発明の効果】
【０００５】  この動力である駆動力の効果は、以下の方程式の中から判断することが出来る。
〔例１〕として遠心力を表わす公式は、
遠心力＝（質量×秒速の２乗）／半径
ですから対応する数字をあてはめると、
液体の質量（２ｋｇ）×（シャフトの回転速度４０ｍ×４０ｍ／２）／シャフトの長さ０．２ｍ＝１６０００ｋｇ
となり遠心力は１６トンの力量が現れます。
〔例２〕といたしまして現在の自動車の走行から類似のところの違いについての効果の部分を見てみますと次のようになります。
自動車が時速６０ｋｍで走行しますと、毎秒約１７ｍですから１分間走行すると、１７ｍ×６０秒＝１０２０ｍの走行距離となります。これに対しまして前述の遠心力１６トンを、機体の総重量を１５００ｋｇとして割り出して計算しますと、約１０ｍ余の加速度が出現しますから、少なく見積もってその３分の１の数字の３メートルを加速度としてあてはめますと移動距離の公式は、
（１／２）×ａｔ×ｔ
ですからその数字を当てはめますと、
（１／２）×３ｍ×６０秒×６０秒＋最初の加速度３ｍ
とあわせまして１分間の走行距離は５４０３ｍになります。地面を駆動するよりも遠心力の応用の方が、走行距離が伸びるという効果があります。
【発明を実施するための最良の形態】
【０００６】  ４つの液体の入ったタンク（１）Ａ（２）Ｂ（３）Ｃ（４）Ｄに回転シャフト（５）（６）（７）（８）を接続して、その液体の入ったタンク（１）Ａ（２）Ｂ（３）Ｃ（４）Ｄの数量と角度を組み合わせながら回転させることによって遠心力を発生させ、それを駆動力として利用するものである。
【実施例】
【０００７】  ４つの液体の入ったタンク（１）Ａ（２）Ｂ（３）Ｃ（４）Ｄの回転する方向は、以下のようになります。〔図１〕の図を時計回りを基準にして角度と回転の速度を同じにして（２）Ｂ液体タンクは左回りです。（１）Ａ液体タンクは右回りです。（４）Ｄ液体タンクは左回りです。（３）Ｃ液体タンクは右回りです。この様に回ることによってタンクの液体を放出しない限り機械全体の遠心力は釣り合いがとれていて発生しません。（４）Ｄ液体タンクと（３）Ｃ液体タンクの液体を放出した時に初めて（２）Ｂ液体タンクと（１）Ａ液体タンクに遠心力が発生いたします。この遠心力が駆動力となって現れます。【０００８】  この時に同時に連結して流れる液体の流れは４つの液体受けカップ（１０）（１１）（１６）（１３）と４つの液体受けホール（９）（１２）（１５）（１４）の構造から次のとおりである。すなわち（１０）Ａ外側受けカップと（９）Ａ内側受けホールは導管でつながっています。これは液体が回転していく為である。これらの理由で（１１）Ｂ外側受けカップと（１２）Ｂ内側受けホールも同様である。同じく（１６）Ｄ外側受けカップと（１５）Ｄ内側受けホールも同様であり、（１３）Ｃ外側受けカップと（１４）Ｃ内側受けホールも同様である。これらの態様で各々の液体受けホールから各液体タンクへ各回転シャフト内を液体が流れて回転していきます。この時の機械の動作のところで各液体受けホールから各液体タンクへ液体を流し込む液体の量の位置が４つの液体タンクの遠心力を同じ力量に保っていく為に制御器がありますが、図面には描いてありませんので制御するための様態を〔図１〕と〔図２〕と〔図３〕をもって説明しますと次のようになります。【０００９】  図１は、各液体タンク（２）Ｂ（１）Ａ（４）Ｄ（３）Ｃが動き始める最初の角度の瞬間図であり、時計回りを基準として回転する方角が書き示されてあります。
図２では、遠心力が最大の角度の瞬間図であり（２）Ｂ液体タンクと（１）Ａ液体タンクはまだ液体を放出していない位置であり（４）Ｄ液体タンクと（３）Ｃ液体タンクはすでに（１６）Ｄ外側受けカップと（１３）Ｃ外側受けカップに液体を放出してしまっている位置です。
図３では、４個の液体タンクから液体を放出して４個すべての液体タンク（２）Ｂ（１）Ａ（４）Ｄ（３）Ｃの遠心力がゼロになった瞬間図であります。その後、同時刻に４個の内側受けホール（９）Ａ（１２）Ｂ（１５）Ｄ（１４）Ｃへ液体が溜められて、また、同時刻に回転シャフト（６）（５）（８）（７）を通って各液体タンクへ流れ込むように自動制御器が働き、液体量の平均量を制御しながら４つの液体タンクの遠心力の平均量を保ちながらサイクルを維持していくことが出来ます。
【図面の簡単な説明】
【００１０】
【図１】  液体タンクが回転を始める最初の位置と角度の瞬間を示す平面図である。
【図２】  液体タンクの遠心力が最大の角度になった時の瞬間を示す平面図である。
【図３】  ４個の液体タンクから液体を放出して遠心力がゼロになったときの瞬間を示す平面図である。
【図４】  ４個の液体タンクを（２５）エンジンによって回転させますと、動力が発生する。これら４個の液体タンクの内（４）Ｄ液体タンクと（３）Ｃ液体タンクの液体が放出されますと、放出しない側の液体タンクに遠心力が発生します。この状態を繰り返す事によって一方向のみの移動が可能になることを示す平面図である。
【符号の説明】
【００１１】１  Ａ液体タンク
２  Ｂ液体タンク
３  Ｃ液体タンク
４  Ｄ液体タンク
５  回転シャフト
６  回転シャフト
７  回転シャフト
８  回転シャフト
９  Ａ内側受けホール
１０  Ａ外側受けカップ
１１  Ｂ外側受けカップ
１２  Ｂ内側受けホール
１３  Ｃ外側受けカップ
１４  Ｃ内側受けホール
１５  Ｄ内側受けホール
１６  Ｄ外側受けカップ
１７  スプリング
１８  スプリング
１９  スプリング
２０  スプリング
２１  つなぎギヤー
２２  つなぎギヤー
２３  つなぎギヤー
２４  つなぎギヤー
２５  エンヂン
い  動力伝達シャフト
【手続補正４】
【補正対象書類名】図面
【補正対象項目名】全図
【補正方法】変更
【補正の内容】
【図１】
2005140099.tif 000007
【図２】
2005140099.tif 000008
【図３】
2005140099.tif 000009
【図４】
2005140099.tif 000010